(57)【特許請求の範囲】
【請求項１】
商品の種類及び金額が入力されるキャッシュレジスタと接続され、
前記商品に対する現金を受け入れ可能であり現金を受け入れたことを検知する入金部と、
前記入金部に入金された現金と前記商品との差額を払い出し可能である出金部と、
前記入金部と前記出金部の電源をオフとすることが可能である電源制御部とを備え、
前記電源制御部は、前記キャッシュレジスタにおいて前記商品の種類または金額が入力されると、前記出金部への電源をオンにし、前記出金部への電源をオンにしてから所定の時間が経過した後に、前記入金部への電源をオンにすること特徴とする現金処理装置。
【発明の詳細な説明】
【技術分野】
【０００１】
本発明の実施形態は、現金処理装置に関する。
【背景技術】
【０００２】
キャッシュレジスタと、これに通信接続された外部装置と、釣銭の出金を行う現金処理装置を有する金銭処理システムは知られている（特許文献１参照）。
【０００３】
また、自動販売機の内部に装着され投入された硬貨を釣銭硬貨として収納する硬貨処理装置において、硬貨検出回路により硬貨の投入が検知されたとき、この硬貨検出回路への電源を供給する装置が知られている（特許文献２参照）。
【先行技術文献】
【特許文献】
【０００４】
【特許文献１】特開２００９−１６３５３６号公報
【特許文献２】特開２００９−２１１１３７号公報
【発明の概要】
【発明が解決しようとする課題】
【０００５】
本発明の課題は、使用電力を削減することが可能な、キャッシュレジスタ及び現金処理装置を提供することである。
【課題を解決するための手段】
【０００６】
本発明の一実施形態は、
商品の種類及び金額が入力されるキャッシュレジスタと接続され、
前記商品に対する現金を受け入れ可能であり現金を受け入れたことを検知する入金部と、
前記入金部に入金された現金と前記商品との差額を払い出し可能である出金部と、
前記入金部と前記出金部の電源をオフとすることが可能である電源制御部とを備え、
前記電源制御部は、前記キャッシュレジスタにおいて前記商品の種類または金額が入力されると、前記出金部への電源をオンにし、前記出金部への電源をオンにしてから所定の時間が経過した後に、前記入金部への電源をオンにすること特徴とする。
【図面の簡単な説明】
【０００７】
【図１】実施形態に係るレジスタシステムなどの全体構成を示す図である。
【図２】第１の実施形態におけるＰＯＳレジスタの構成例を示す図である。
【図３】第１の実施形態における現金処理装置の構成例を示す図である。
【図４】第１の実施形態におけるホストコンピュータの構成例を示す図である。
【図５】第１の実施形態の動作を説明するための図である。
【図６】第２の実施形態における現金処理装置の構成例を示す図である。
【図７】第２の実施形態の動作を説明するための図である。
【発明を実施するための形態】
【０００８】
以下、本発明の実施の形態について、図面を用いて説明する。
【０００９】
＜第１の実施形態＞
図１に、第一の実施形態のシステムの全体構成を示す。
【００１０】
このシステムは、各商品の価格と現金などの金額の入出力を行うＰＯＳ（Point of Sales）レジスタ１１と、このＰＯＳレジスタ１１に接続され入力された商品の金額などを表示する表示装置１２と、ＰＯＳレジスタ１１に接続されその近くに置かれて客から預かった現金を入金し客に渡す釣銭を出金する現金処理装置１３と、ＰＯＳレジスタ１１に接続され、商品の数、価格、合計金額や実際に現金処理装置１３などから入力された金額を得て釣銭の金額を算出しこれらの購買情報を記憶しておくホストコンピュータ１４とを有する。ＰＯＳレジスタ１１とこれに接続される現金処理装置１３はレジスタシステムを構成する。なお、ＰＯＳレジスタ１１は、ＰＯＳシステムの端末機能を有するキャッシュレジスタである。
【００１１】
第１の実施形態では、ＰＯＳレジスタ１１から商品の種類と、お客から受け取った金銭の額を入力し、その差額を算出して、現金処理装置１３に釣銭を出金するよう釣銭指示信号を送る。これに応じて現金処理装置１３はお釣りを出し、お客から受け取った金銭を入力する。
【００１２】
ＰＯＳレジスタ１１は、お客が商品を持ってカウンタに来たとき店員（操作者）が商品の種類などの入力に際して操作する機器であり、商品の価格及び支払われる代金の処理を行う機器であって、例えば図２に示すような構成を取る。
【００１３】
ＰＯＳレジスタ１１は、商品の種類、個数などを手入力する入力部２１と、お客から受け取った商品の例えばバーコードの読み取りを行う読取走査部２２と、入力部２１から入力がなされたことや読取走査部２２が動作したことを検知する入力読取検知部２３と、買われた個々の商品の価格及び合計価格と支払われた金額及びお釣りとなる差額を表示する表示部２４と、その商品の種類及び個々の商品価格、合計価格、受け取った金額、お釣りの額をレシートとして印刷する印刷部２５と、現金処理装置１３と金額情報の授受を行う現金処理装置インターフェース（ＩＦ）部２６と、ホストコンピュータ１４と商品及び金額の情報の授受を行うホストインターフェース（ＩＦ）部２７と、買われた個々の商品の価格及び合計価格と支払われた金額及びお釣りとなる差額などを計算する金額算出部２８と、店員が商品の合計金額及び受け取った金額を確認して、取引の締め処理実行を指示する確認実行キー２９と、これら各部を制御するレジスタ制御部３０とを備える。
【００１４】
同じ種類の商品を複数個買う場合には、商品の種類を読取走査部２２により読み取り、個数を入力部２１から手入力することにより読取走査の時間を節約することもできる。
【００１５】
ＰＯＳレジスタ１１の表示部２４の表示信号は、外部の表示装置１２にも送られ、この装置の表示画面上に同様の表示がなされる。
【００１６】
現金処理装置１３の構成例を図３に示す。この現金処理装置１３は、出金し受け入れる現金の金種、金額を認識する入出金額認識部３２と、釣銭などの出金を行う出金部３３と、現金を受け入れ可能であり現金を受け入れたことを検知する入金部３４と、各部の電源を通常はオフ状態にし、２段階でオン制御する電源制御部３６と、上記各部を動作させなくなった状態からの時間などを計測するタイマー３７と、ＰＯＳレジスタ１１と金額情報を授受するレジスタＩＦ部３８とを備える。
【００１７】
電源制御部３６は、通常、入出金額認識部３２、出金部３３、入金部３４の電源をオフとしておく。そして、レジスタＩＦ部３８にＰＯＳレジスタ１１から出金の指示信号が送られてきたとき、まず、上記電源をオフとしていた入出金額認識部３２及び出金部３３をオンとし、タイマー３７により第１の所定時間Ｔ１経過した時に入金部３４もオン状態とする。更に入金部３４がオン状態になってから第２の所定時間Ｔ２を経過した時、すべての電源をオンとし、フル稼働の状態とする。
【００１８】
タイマー３７は、現金処理装置１３の各部の動作が停止し、更にＰＯＳレジスタ１１から情報が送られてこなくなった時から、時間計測を開始する。そして、第２の所定時間Ｔ２を経過したら、電源制御部３６に所定時間Ｔ２、経過したことを知らせ、電源制御部３６は、入出金額認識部３２、出金部３３、入金部３４の電源をオフとする。時間計測の途中で、レジスタＩＦ部にＰＯＳレジスタ１１から情報が入ったときには、電源制御部３６は、再び、入出金額認識部３２、出金部３３、入金部３４の電源をオンとする。現金処理装置１３は、現金処理装置の一種であり、客から預かった現金を入金する入金部３４と、客に釣銭として渡す現金を出金する出金部３３を有する。入金部３４と出金部３３は各々、紙幣と硬貨の入金、出金を行う機能を有する。
【００１９】
ＰＯＳレジスタ１１の前に立った店員は、例えばバーコードの記載された商品をＰＯＳレジスタ１１の読取走査部２２を通し、すなわち商品のバーコードをスキャンし、商品の種類などを認識する。この商品種類などの読取がなされたこと又は、入力部２１に入力がされたことは入力読取検知部２３で検知され、この情報は、ＰＯＳレジスタ１１の現金処理装置ＩＦ部２６を通して現金処理装置１３に送られる。この情報は、現金処理装置１３の電源制御部３６に伝えられ、入出金額認識部３２及び出金部３３の電源をオンとする。
【００２０】
ホストコンピュータ１４の構成例を図４に示す。このホストコンピュータ１４は、商品種類別に商品の種類とその金額を対応させて記憶する商品金額記憶部４１と、ＰＯＳレジスタ１１と情報の授受を行うレジスタＩＦ部４２と、ＰＯＳレジスタ１１から送られてきた、各商品の合計金額やお客が購入した商品種類及び支払った金額を記憶する購買情報記憶部４４と、これら各部を制御するホスト制御部４５を備える。
【００２１】
次に、この実施形態の動作を図５に示すフローチャートに従って説明する。スタートすると、ステップＳ５０１で現金処理装置１３の一部の電源はオフの状態とされる。すなわち、現金処理装置１３の電源制御部３６は、入出金額認識部３２、出金部３３、入金部３４の電源をオフの状態にされる。
【００２２】
ステップＳ５０２で、読取走査部２２において例えば商品のバーコードの読み取りが開始されたか否かを検知する。バーコードの読み取りが検知されないときには、ステップＳ５０３でＰＯＳレジスタ１１の入力部２１に商品種類等が入力されたかを検知する。これら、バーコードの読み取り検知、入力部２１への入力検知は、入力読取検知部２３においてなされる。どちらかが検知されると、その旨の検知信号は、現金処理装置ＩＦ部２６を介して、現金処理装置１３に送られる。商品に付されたバーコードにより商品名が認識されないときには、店員は直接手入力によりその商品種類、個数を入力する。商品名が認識された場合にも個数が２個以上のときには、個数を手入力する。
【００２３】
上記検知信号は、現金処理装置１３のレジスタＩＦ部３８を介して、電源制御部３６に送られる。この検知信号を受けるとステップＳ５０４で、電源制御部３６は、入出金額認識部３２及び出金部３３の電源をオンにする。これは、現金処理装置１３の出金部３３から、先に釣銭を出すためである。
【００２４】
これらの電源がオンにされてから、ステップＳ５０５で、第１の所定時間Ｔ１を経過すると、電源制御部３６は入金部３４の電源をオンにし、現金処理装置１３をフル稼働の状態にする。
【００２５】
一方、ステップＳ５０２でバーコードとして読み取られた商品の種類、あるいは入力部２１で入力された商品種類は、確認実行キー２９を店員が押すことにより、一括して、ホストＩＦ部２７を介して、ホストコンピュータ１４に送られる。ホストコンピュータ１４のレジスタＩＦ部４２を介して商品種類を受けた図４に示す商品金額記憶部４１では、各商品の名称、各商品に対する金額とその全体の合計額を、レジスタＩＦ部４２を介して、ＰＯＳレジスタ１１に送る。そして、これら個々の商品と各金額及び合計金額は、表示部２４に表示されると共に、お客が見ることのできる表示装置１２の表示画面上に表示される。これがステップＳ５０６によって行われる。
【００２６】
次のステップＳ５０７では、お客から受け取った金銭の金額をＰＯＳレジスタ１１の入力部２１から入力する。次のステップＳ５０８では、ＰＯＳレジスタ１１の金額算出部２８において入力部２１から入力された金額から全ての商品の合計額を減算し、釣銭の額を得る。
【００２７】
ステップＳ５０９では、ＰＯＳレジスタ１１は、現金処理装置ＩＦ部２６を介して、現金処理装置１３に、釣銭の額の出金を指示し、現金処理装置１３の出金部３３は釣銭（紙幣及び硬貨）を出金する。その後のステップＳ５１０では、顧客から受け取った金銭（紙幣及び硬貨）を入力部２１に入れて、入金処理を行う。ステップＳ５０９及びステップＳ５１０の出金及び入金の金額は入出金額認識部３２で認識される。
【００２８】
これらの商品の種類とその金額、合計金額、受け取った金額、釣銭の金額などはすべて、ホストコンピュータ１４に送られ、購買情報記憶部４４に記憶される。
【００２９】
ステップＳ５１１で現金処理装置１３及びＰＯＳレジスタ１１の各部動作が停止した後、タイマー３７は時間計測を開始する。ステップＳ５１２で時間の計測を開始してから所定時間Ｔ２を経過すると、ステップＳ５０１に戻って、現金処理装置１３の電源制御部３６は、再び、現金処理装置１３の入出金額認識部３２、出金部３３、入金部３４の電源をオフの状態にする。
【００３０】
この実施形態によれば、お客から受け取った金銭の額を操作者が入力するので、間違いのない入力を行うことができる利点がある。
【００３１】
＜第２の実施形態＞
上記第１の実施形態では、商品の合計金額と受け取った金額の差額は、ＰＯＳレジスタ１１の金額算出部２８において行い、ＰＯＳレジスタ１１から出金の指示信号を現金処理装置１３に送り、出金部３３で出金していた。しかし、現金処理装置において入金額を認識し、ＰＯＳレジスタ１１から送られてきた商品の金額を得てその差額を求め、出金するようにすることも可能である。
【００３２】
次にこのような第２の実施形態について説明する。この実施形態における現金処理装置の構成例を、図６に示す。図６において現金処理装置５３は、出金し受け入れる現金の金種、金額を認識する入出金額認識部６２と、釣銭などの出金を行う出金部６３と、現金を受け入れ可能であり現金を受け入れたことを検知する入金部６４と、各部の電源を通常はオフ状態にし、２段階でオン制御する電源制御部３６と、上記各部を動作させなくなった状態からの時間を計測するタイマー６７と、ＰＯＳレジスタ１１と金額情報を授受するレジスタＩＦ部６８と、釣銭の金額などを算出する金額算出部６９とを備える。
【００３３】
この現金処理装置５３が現金処理装置１３と主に異なるところは、金額算出部６９を有する点である。この実施形態では、ＰＯＳレジスタ１１及びホストコンピュータ１４は図２、図４に示す構成と同様である。但し、釣銭金額の算出はＰＯＳレジスタ１１の金額算出部２８で行わず、現金処理装置１３の金額算出部６９で行う。
【００３４】
次に、この実施形態の動作を、図７に示すフローチャートを用いて説明する。
【００３５】
ステップＳ７０１からステップＳ７０３迄は図５のステップＳ５０１からステップＳ５０３までと同じである。ステップＳ７０４で、電源制御部６６は、現金処理装置５３の出金部６３を除く、入出金額認識部６２と入金部６４の電源をオンする。
【００３６】
ステップＳ７０５では、電源制御部６６は所定時間Ｔ１後に、出金部６３を含む現金処理装置５３の全ての電源をオン状態とする。
【００３７】
ステップＳ７０６では、各商品の種類、単価、個数、合計金額などを表示部２４及び表示装置１２に表示させた後、図７に示すステップＳ７０７で、この商品の合計金額はレジスタＩＦ部６８を通して金額算出部６９に送られる。
【００３８】
次のステップＳ７０８では、お客から受け取った金銭の紙幣及び硬貨を現金処理装置５３の入金部６４に入れる。この入金部６４から入力された金額は入出金額認識部６２で認識された後、金額算出部６９に送られる。
【００３９】
ステップＳ７０９では、金額算出部６９では、お客から受け取った金額からＰＯＳレジスタ１１から送られてきた金額を差し引くことにより釣銭金額を算出する。ステップＳ７１０では、出金部６３に指示してその金額を出金部６３から出金する。
【００４０】
次のステップＳ７１１では、受け取った金額、釣銭額をＰＯＳレジスタに通知し、ＰＯＳレジスタはそれらの金額を商品の種類、その単価、個数、合計金額と共に、ホストコンピュータ１４に送る。それらの購買データは、ホストコンピュータ１４の購買情報記憶部４４に記憶される。ステップＳ７１２で現金処理装置５３の各部の動作が停止した後、時間を計測し、ステップＳ７１３で所定時間Ｔ２経過したら、ステップＳ７０１に戻る。
【００４１】
この実施形態において、電源制御部６６では、２段階制御を行うようにさせることができる。
【００４２】
この第２の実施形態によれば、お客から受け取った金銭の額を現金処理装置が自動認識するので、操作者に負担を掛けない現金処理装置が得られる利点がある。
【００４３】
ところで、上記実施形態では、バーコードにより商品の種類を認識していた。しかし、他のコード、例えば２次元コードや、商品名を直接文字認識させるようにしてもよい。
【００４４】
上記実施形態では、個々の商品の種類をＰＯＳレジスタ１１からホストコンピュータ１４に送り、商品名、価格を問い合わせていた。このようにすればホストコンピュータ１４の商品金額記憶部４１に記憶されている各商品の金額を一時的に変えたときでも、適切な金額を用いることができる利点がある。
【００４５】
しかし、ＰＯＳレジスタ１１がネットワークを介してホストコンピュータ１４に接続されている場合には、時間的な遅れが発生する場合もあり、このような場合には、各ＰＯＳレジスタに商品金額記憶部を設けて動作させる前、例えば日にちが変わった時に、商品と金額の関係をこの商品金額記憶部に予めダウンロードするようにしておくことが可能である。このようにすれば、各ＰＯＳレジスタ１１で各商品の価格をホストコンピュータ１４に問い合わせる必要がなくなり、これら商品の個々の金額及び合計金額を表示するまでの時間を短縮することが可能である。
【００４６】
上記実施形態では、ホストコンピュータ１４はＰＯＳレジスタ１１に接続され、ＰＯＳレジスタ１１と現金処理装置１３が接続されていた。しかし、ホストコンピュータ１４と現金処理装置１３が直接接続され、ホストコンピュータ１４で算出した釣銭額を直接、現金処理装置１３から出すようにしてもよい。
【００４７】
上記実施形態では、ホストコンピュータを有し、差額計算をこのホストコンピュータに行わせていた。しかし、ホストコンピュータは必ずしも必要でなく、ＰＯＳレジスタにおいて合計金額、差額等の算出を行わせることは可能である。また購買の記録情報をレジスタに記憶させることが可能である。
【００４８】
上記第１第２の実施形態では、電源制御部は、入出金認識部と出金部、入金部の電源をオン、オフしていた。しかし、ＰＯＳレジスタからの信号を検知して、現金処理装置の電源をオン、オフ制御するようにしてもよい。
【００４９】
上記実施形態では、預かり金を受け入れる口と釣銭を払い出す口とを単一の金銭トレイ３１として共通にしたが、それぞれの口を別々の異なったトレイとして構成しても良い。また、紙幣と硬貨とを別々の異なった口から受け入れたり、払い出したりしても良い。
【００５０】
上記実施形態によれば、電力を節約することが可能な、現金処理装置が得られる効果がある。
【００５１】
上記実施形態では、現金処理装置１３各部の電源を一律にオフオンしているが、一部分を他の部分とは別々にオフオンしても良い。例えば金銭を受け入れる口に金銭が入ってきたことを検知する金銭受け入れセンサを設け、この金銭受け入れセンサによる検知に基づいて現金処理装置各部の電源をオンするようにすれば、金銭受け入れセンサ部分の電源オンを他の部分に先駆けて行い、他の部分の電源オフ時間を長くすることでき、更なる電力節約が可能である。
なお、上記実施形態では、キャッシュレジスタの入力部の一例として、商品の種類を入力する例について説明した。しかしながら、売上と関係しない現金の授受に関するデータを入力するものであってもよい。
売上と関係しない現金の授受に関する入力部としては、例えば両替キー、入金キー、出金キーなどがある。両替キーは受け取った貨幣より額面が小さい貨幣にくずす際に操作される。例えば日本においては、１万円札１枚を５千円札１枚と千円札５枚とに交換する。入金キーは、現金を釣銭として補充する際に操作される。出金キーは、現金を回収する際に操作される。
【００５２】
上記実施形態では、現金処理装置として、客から預かった現金を入金し、客に渡す釣銭を出金する現金処理装置１３を例示したが、客から預かった現金を入金する入金装置、客に釣銭として渡す現金を出金する出金装置の何れかを現金処理装置とすることも可能である。なお、現金処理装置には、両替機も含まれる。
【００５３】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１１・・・・ＰＯＳ（Point of Sales）レジスタ、
１２・・・・表示装置、
１３，５３・・・・現金処理装置、
１４・・・・ホストコンピュータ、
２１・・・・入力部、
２２・・・・読取走査部、
２３・・・・入力読取検知部、
２４・・・・表示部、
２５・・・・印刷部、
２６・・・・現金処理装置インターフェース（ＩＦ）部、
２７・・・・ホストＩＦ部、
２８・・・・確認実行キー、
２９・・・・金額算出部、
３０・・・・レジスタ制御部、
３１・・・・金銭トレイ、
３２，６２・・・・入出金額認識部、
３３，６３・・・・出金部、
３４，６４・・・・入金部、
３６，６６・・・電源制御部、
３７，６７・・・・タイマー、
３８，４２，６８・・・・レジスタＩＦ部、
４１・・・・商品金額記憶部、
４４・・・・購買情報記憶部、
４５・・・・ホスト制御部。
【図１】
0005567055.tif 000002
【図２】
0005567055.tif 000003
【図３】
0005567055.tif 000004
【図４】
0005567055.tif 000005
【図５】
0005567055.tif 000006
【図６】
0005567055.tif 000007
【図７】
0005567055.tif 000008